(57)【要約】【課題】容易に外部ヒーターの調整ができるようにすることを目的とする。【解決手段】メディアに印刷を実行するプリンター１であって、温度を検出する温度センサー１０２と、プリンター１の動作モードがキャリブレーションモードである場合、外部に設置されメディアを加熱する外部ヒーターが発する熱の温度を、温度センサー１０２で検出し、検出した温度に基づいて外部ヒーターの調整に関する処理を実行する制御部１００と、を備える。【選択図】図３
2018089926.tif 000002
【特許請求の範囲】
【請求項１】
媒体に印刷を実行する印刷装置であって、
温度を検出する温度センサーと、
前記印刷装置の動作モードが第１モードである場合に、外部に設置され前記媒体を加熱する外部ヒーターが発する熱の温度を、前記温度センサーで検出し、検出した温度に基づいて前記外部ヒーターの調整に関する処理を実行する制御部と、を備える
印刷装置。
【請求項２】
前記媒体を加熱するヒーターを備え、
前記温度センサーは、前記ヒーターの温度を検出する温度センサーである
請求項１に記載の印刷装置。
【請求項３】
情報を報知する報知部を備え、
前記制御部は、
前記温度センサーが検出する温度に基づいて、前記外部ヒーターが発する熱の温度が許容範囲内であるか否かを示す情報を前記報知部により報知する
請求項１又は２に記載の印刷装置。
【請求項４】
前記外部ヒーターの調整に関する指示を実行する指示部を備え、
前記制御部は、
前記温度センサーが検出する温度に基づいて、前記指示部により、少なくとも、前記外部ヒーターの設置位置の調整、及び、前記外部ヒーターの出力の調整のいずれかの指示を実行する
請求項１から３のいずれか一項に記載の印刷装置。
【請求項５】
前記制御部は、
前記温度センサーが検出した温度に基づいて、前記ヒーターの温度が所定の閾値を上回る場合、前記印刷装置の動作を停止させる
請求項２から４のいずれか一項に記載の印刷装置。
【請求項６】
前記制御部は、
前記温度センサーが検出する温度に基づいて、前記印刷装置の動作モードを第２モードに移行させる否かの指示を受け付け、
前記印刷装置の動作モードを前記第２モードに移行させる指示を受け付けた場合、前記印刷装置の動作モードを、前記ヒーターの温度が前記所定の閾値を上回った場合でも、前記印刷装置の動作を停止させない前記第２モードに移行させる
請求項５に記載の印刷装置。
【請求項７】
外部ヒーターに電力を供給する電力供給部を備え、
前記制御部は、
前記温度センサーが検出する温度に基づいて、前記電力供給部が供給する電力を制御する
請求項１から４のいずれか一項に記載の印刷装置。
【請求項８】
媒体に印刷を実行する印刷装置の制御方法であって、
印刷装置の動作モードが第１モードである場合、外部に設置され前記媒体を加熱する外部ヒーターが発する熱の温度を、温度センサーで検出し、検出した温度に基づいて前記外部ヒーターの調整に関する処理を実行する
印刷装置の制御方法。
【発明の詳細な説明】
【技術分野】
【０００１】
本発明は、印刷装置、及び、印刷装置の制御方法に関する。
【背景技術】
【０００２】
従来、インクを定着させるためのヒーターを備える印刷装置が知られている（例えば、特許文献１参照）。特許文献１では、複数のヒーターを備え、媒体たる記録用紙に噴射されたインクを、この複数のヒーターの遠赤外線照射によって記録用紙に定着させる印刷装置を開示する。
【先行技術文献】
【特許文献】
【０００３】
【特許文献１】特開平１１−１１５１７５号公報
【発明の概要】
【発明が解決しようとする課題】
【０００４】
ところで、ユーザーは、特許文献１に記載のようなヒーターを備える印刷装置を使用する際、外部ヒーターを併用して媒体を加熱する場合がある。この場合、適切に印刷が行われるよう外部ヒーターの設置位置や出力等を適切に調整することが求められるが、従来の外部ヒーターの調整は、ユーザーの勘や経験等に頼ることが多く、容易に行えない場合があった。
そこで、本発明は、容易に外部ヒーターの調整ができるようにすることを目的とする。
【課題を解決するための手段】
【０００５】
上記課題を解決するために、本発明は、媒体に印刷を実行する印刷装置であって、温度を検出する温度センサーと、前記印刷装置の動作モードが第１モードである場合、外部に設置され前記媒体を加熱する外部ヒーターが発する熱の温度を、前記温度センサーで検出し、検出した温度に基づいて前記外部ヒーターの調整に関する処理を実行する制御部と、を備える。
本発明によれば、温度センサーにより検出した外部ヒーターが発する熱の温度に基づいて、外部ヒーターの調整に関する処理を実行するため、容易に外部ヒーターを調整できる。
【０００６】
また、本発明は、前記媒体を加熱するヒーターを備え、前記温度センサーは、前記ヒーターの温度を検出する温度センサーである。
本発明によれば、印刷装置が備えるヒーターの温度を検出する温度センサーを、外部ヒーターの発する熱の温度を検出する温度センサーとして用いるので、新たに温度センサーを設けることなく、容易に外部ヒーターを調整できる。
【０００７】
また、本発明は、情報を報知する報知部を備え、前記制御部は、前記温度センサーが検出する温度に基づいて、前記外部ヒーターが発する熱の温度が許容範囲内であるか否かを示す情報を前記報知部により報知する。
本発明によれば、外部ヒーターが発する熱の温度が許容範囲内であるか否かを示す情報を報知部により報知するため、ユーザーは、外部ヒーターが発する熱の温度が許容範囲内か否かを認識でき、利便性が向上する。
【０００８】
また、本発明は、前記外部ヒーターの調整に関する指示を実行する指示部を備え、前記制御部は、前記温度センサーが検出する温度に基づいて、前記指示部により、少なくとも、前記外部ヒーターの設置位置の調整、及び、前記外部ヒーターの出力の調整のいずれかの指示を実行する。
本発明によれば、少なくとも、外部ヒーターの設定位置の調整、及び、外部ヒーターの出力の調整のいずれかの指示を実行するため、ユーザーは、勘や経験等に頼ることなく、容易に外部ヒーターを調整できる。
【０００９】
また、本発明は、前記制御部は、前記温度センサーが検出した温度に基づいて、前記ヒーターの温度が所定の閾値を上回る場合、前記印刷装置の動作を停止させる。
本発明によれば、印刷装置が備えるヒーターの温度が所定の閾値を上回った場合に、印刷装置の動作を停止するため、印刷装置の安全性を確保できる。
【００１０】
また、本発明は、前記制御部は、前記温度センサーが検出する温度に基づいて、前記印刷装置の動作モードを第２モードに移行させるか否かの指示を受け付け、前記印刷装置の動作モードを前記第２モードに移行させる指示を受け付けた場合、前記印刷装置の動作モードを、前記ヒーターの温度が前記所定の閾値を上回った場合でも、前記印刷装置の動作を停止させない前記第２モードに移行させる。
本発明によれば、第２モードに移行させる指示を受け付けた場合、印刷装置が備えるヒーターの温度が所定の閾値を上回った場合でも、印刷装置の動作を停止させない。そのため、外部ヒーターを併用した印刷を行った場合でも、印刷装置の動作が停止することを防止でき、外部ヒーターを併用する際のユーザーの利便性が向上する。
【００１１】
また、本発明は、外部ヒーターに電力を供給する電力供給部を備え、前記制御部は、前記温度センサーが検出する温度に基づいて、前記電力供給部が供給する電力を制御する。
本発明によれば、温度センサーが検出する温度に基づいて、電力供給部が供給する電力を制御するため、温度センサーが検出する温度に基づく外部ヒーターの出力を制御できる。
【００１２】
上記課題を解決するために、本発明は、媒体に印刷を実行する印刷装置の制御方法であって、印刷装置の動作モードが第１モードである場合、外部に設置され前記媒体を加熱する外部ヒーターが発する熱の温度を、温度センサーで検出し、検出した温度に基づいて前記外部ヒーターの調整に関する処理を実行する。
本発明によれば、温度センサーにより検出した外部ヒーターが発する熱の温度に基づいて、外部ヒーターの調整に関する処理を実行するため、容易に外部ヒーターを調整できる。
【図面の簡単な説明】
【００１３】
【図１】印刷システムの構成を示す図。
【図２】アフターヒーターと温度センサーとの設置の状態を示す図。
【図３】プリンターの機能的構成を示す図。
【図４】プリンターの動作を示すフローチャート。
【図５】温度変化適正データと温度変化不適正データとの一例を示す図表。
【図６】プリンターの動作を示すフローチャート。
【図７】温度変化適正データと温度変化不適正データとの一例を示す図表。
【図８】変形例における印刷システムの構成示す図。
【発明を実施するための形態】
【００１４】
図１は、印刷システム２００の構成を示す図である。
【００１５】
図１を用いた説明では、矢印に示すように、図中で左へ向かう方向を「前方」とする。また、図中で右へ向かう方向を「後方」とする。また、図中で上へ向かう方向を「上方」とする。また、図中で下へ向かう方向を「下方」とする。
【００１６】
図１に示すように、印刷システム２００は、プリンター１（印刷装置）と外部ヒーター９とを備える。
【００１７】
プリンター１は、メディアＭ（媒体）に対して、インクをインクジェット式で噴射することにより文字や画像等を印刷する装置であり、比較的大型のメディアＭに対して印刷を実行するラージフォーマットプリンターである。本実施形態では、メディアＭは、例えば６４インチ程度の幅を有する媒体である。
【００１８】
図１に示すように、プリンター１は、複数のキャスターを下端に有する脚台２と、脚台２上に支持された略直方体形状の本体３とを備える。
【００１９】
プリンター１は、ロール・ツー・ロール方式でメディアＭを搬送する搬送部４を備える。
【００２０】
搬送部４は、長尺のメディアＭがロール状に巻かれたロール体Ｒ１からメディアＭを本体３へ送り出す送出部４１と、送出部４１により送り出されたメディアＭを巻き取る巻取部４２とを有する。
【００２１】
また、搬送部４は、送出部４１及び巻取部４２との間の搬送経路において、メディアＭを挟持した状態で搬送する搬送ローラー対４３を有する。搬送ローラー対４３は、搬送経路の下方に配置されて回転する搬送ローラー４３１と、搬送経路の上方に配置され搬送ローラー４３１の回転に従って回転する搬送ローラー４３２とを備える。搬送ローラー対４３は、搬送ローラー４３１と搬送ローラー４３２との回転によりメディアＭを搬送する。
【００２２】
また、搬送部４は、本体３の前方の排出口から送り出された印刷後のメディアＭをロール体Ｒ２に巻き取る巻取部４２を備える。
【００２３】
プリンター１は、メディアＭに対してインクを噴射することにより文字や画像等を印刷する印刷部５を備える。
【００２４】
印刷部５は、本体３内に架設されたガイド軸５１に沿って、メディアＭの搬送方向と直交する主走査方向（図１では紙面と直交する方向）に往復移動するキャリッジ５２を備える。キャリッジ５２は、メディアＭの搬送方向と対向して設置されたインクジェットヘッド５３を搭載する。インクジェットヘッド５３は、図示せぬインクカートリッジから供給されるインクを噴射可能な複数のノズルを有する。印刷部５は、キャリッジ５２が主走査方向に移動する際に、インクジェットヘッド５３のノズルからインクを噴射し、メディアＭへの印刷を実行する。
【００２５】
送出部４１と巻取部４２との間には、メディアＭを上方に凸となるように湾曲させて支持する支持面６０ａを有する支持部材６０が設けられる。支持部材６０は、板金などからなる板材の曲げ加工により形成された所定形状の部材が複数組み付けられることにより構成される。
【００２６】
支持部材６０は、ロール体Ｒ１から送り出されたメディアＭを印刷部５よりも搬送経路の上流側で支持する送出用支持部６１と、印刷部５と対向する位置に設けられてメディアＭの印刷領域となる部分を支持する印刷用支持部６２と、印刷部５よりも搬送経路の下流側で印刷後のメディアＭを支持する排出用支持部６３とを有する。
【００２７】
送出用支持部６１は、搬送経路の下流側ほど高くなる斜状の搬送面を含む支持面６１ａを有する。ロール体Ｒ１から送り出されたメディアＭは、支持面６１ａに支持された状態で印刷部５へ搬送される。
【００２８】
また、印刷用支持部６２は、インクジェットヘッド５３のノズル形成面と所定のギャップを設けた状態で、このノズル形成面と平行な支持面６２ａを有する。
【００２９】
排出用支持部６３は、印刷部５と巻取部４２との間の搬送経路を形成し、搬送経路の下流側ほど低くなると共に外側（図１では前方）に向かって凸となるように湾曲しながら延出している。排出用支持部６３は、メディアＭを湾曲させた状態で支持する支持面６３ａを有する。各支持部６１、６２、６３は、それぞれの支持面６１ａ、６２ａ、６３ａが略面一に連続的に繋がる状態で配置される。
【００３０】
図１に示すように、支持部材６０の裏側には、支持面６０ａを加熱する加熱部７が設けられる。
【００３１】
より具体的には、送出用支持部６１の裏側には、支持面６１ａを加熱するプレヒーター７１が設置される。プレヒーター７１は、支持面６１ａ上でメディアＭを予熱する。また、印刷用支持部６２の裏側には、印刷部５と対向する支持面６２ａを加熱するプラテンヒーター７２が設置される。また、排出用支持部６３の裏側には、支持面６３ａを加熱するアフターヒーター７３（ヒーター）が設置される。アフターヒーター７３は、支持面６３ａ上でメディアＭを加熱することによりインクを乾燥させる。このように構成される加熱部７は、メディアＭを加熱することにより、インクをメディアＭに対し速やかに乾燥定着させ、滲みやぼやけ等を防止して、印刷品質を高める機能を有する。
【００３２】
本実施形態では、少なくとも排出用支持部６３の裏側には、支持面６３ａを加熱するアフターヒーター７３と共に、アフターヒーター７３の温度を検出する温度センサー１０２が設けられる。
【００３３】
図２は、アフターヒーター７３と温度センサー１０２との設置の状態を示す図である。
【００３４】
本実施形態では、アフターヒーター７３は、チューブヒーターにより構成され、アルミテープ等を介して支持面６３ａの裏側に貼付される。また、図２に示すように、アフターヒーター７３は、支持面６３ａの全域を加熱可能に設置される。温度センサー１０２は、図２に示すように、アフターヒーター７３の間に支持面６３ａの裏側に貼付され、アフターヒーター７３の温度を検出可能に複数設置される。
【００３５】
なお、アフターヒーター７３としてチューブヒーターを例示したが、アフターヒーター７３は、チューブヒーターに限定されず、支持面６３ａを加熱するものであれば、いずれのものを採用できる。
【００３６】
図１の説明に戻り、排出用支持部６３の下流側端部の下方には、メディアＭに張力を付与する張力付与機構８１が設けられている。張力付与機構８１は、排出用支持部６３と巻取部４２との間でメディアＭに接触してこれに押圧力を付与するテンションローラー８２を有する。テンションローラー８２は、基端部が脚台２に対して回動可能に支持された一対のアーム部材の先端部に回転可能に支持されると共に、メディアＭの幅よりも幅方向（図１の紙面直交方向）に長い軸長を有する。排出用支持部６３の下流側では、メディアＭはテンションローラー８２の重量に応じたテンションが付与された状態でロール体Ｒ２に巻き取られる。
【００３７】
図１に示すように、プリンター１の前方には、外部ヒーター９が設置される。
【００３８】
外部ヒーター９は、例えばハロゲンヒーターにより構成され、熱を発する発熱面９１が、プリンター１の支持面６３ａと対向するように設置される。本実施形態では、外部ヒーター９は、ケーブルＫ１を介してプリンター１から電力が供給され、供給された電力に基づいて、熱を支持面６３ａに向けて発する。そのため、支持面６３ａ上におけるメディアＭは、外部ヒーター９とアフターヒーター７３とにより加熱される。
【００３９】
なお、プリンター１は、商用交流電源１０からケーブルＫ２を介して交流電力が供給され、図示せぬ電源回路において整流や、平滑、電圧変換等を実行して交流電力から直流電力を生成し、生成した直流電力に基づいて動作を実行する。
【００４０】
図３は、プリンター１の機能的構成を示す図である。
【００４１】
図３に示すように、プリンター１は、制御部１００と、記憶部１０１と、搬送部４と、印刷部５と、加熱部７と、温度センサー１０２と、入力部１０３と、表示部１０４（報知部、指示部）と、通信部１０５と、電力供給部１０６とを備える。
【００４２】
制御部１００は、ＣＰＵや、ＲＯＭ、ＲＡＭ、その他の制御回路等を備え、プリンター１の各部を制御する。
【００４３】
記憶部１０１は、ＥＥＰＲＯＭや、ハードディスク等の不揮発性メモリーを備え、各種データを書き換え可能に記憶する。また、記憶部１０１は、温度変化データベース１０１ａを記憶する。温度変化データベース１０１ａについては、後述する。
【００４４】
搬送部４は、上述した送出部４１や、巻取部４２、搬送ローラー対４３、その他のメディアＭの搬送に関する構成を備える。搬送部４は、制御部１００の制御で、メディアＭを搬送する。
【００４５】
印刷部５は、上述したインクジェットヘッド５３や、インクジェットヘッド５３を駆動する駆動回路、上述したキャリッジ５２、キャリッジ５２を搬送方向と交差する主走査方向に走査させる走査モーター、走査モーターを駆動するモータードライバー、その他のメディアＭへの印刷に関する構成を備える。印刷部５は、制御部１００の制御で、メディアＭに文字や画像等を印刷する。
【００４６】
加熱部７は、上述した、プレヒーター７１、プラテンヒーター７２、及び、アフターヒーター７３を備え、制御部１００の制御で、搬送されるメディアＭを加熱する。前述した通り、プレヒーター７１は、支持面６１ａ上でメディアＭを予熱する。また、プラテンヒーター７２は、支持面６２ａ上でメディアＭを加熱する。また、アフターヒーター７３は、支持面６３ａ上でメディアＭを加熱する。
【００４７】
温度センサー１０２は、少なくとも、アフターヒーター７３の温度を検出するセンサーであり、支持面６３ａの裏側にアフターヒーター７３の温度を検出可能に設置される。温度センサー１０２は、検出した温度を示す信号（例えば、検出した温度に応じた電圧）を制御部１００に出力する。
【００４８】
入力部１０３は、プリンター１に設けられた操作スイッチや、タッチパネル等の入力手段を備え、ユーザーの入力手段に対する操作を検出し、制御部１００に出力する。制御部１００は、入力部１０３からの入力に基づいて、入力手段に対する操作に対応する処理を実行する。
【００４９】
表示部１０４は、複数のＬＥＤや、表示パネル等を備え、制御部１００の制御で、ＬＥＤを所定の態様で点灯／消灯や、表示パネルへの情報の表示等を実行する。本実施形態では、表示部１０４は、情報を表示することでユーザーに情報を報知する報知部として機能する。また、表示部１０４は、表示する情報が、所定の指示を示す情報である場合、ユーザーに指示を実行する指示部として機能する。なお、本実施形態では、ＬＥＤを所定の態様で点灯／消灯させることも、情報の表示に相当するものとする。
【００５０】
通信部１０５は、制御部１００の制御で、所定の通信規格に従って、例えば、プリンター１の印刷の動作を制御するホストコンピューター（不図示）等の外部装置と通信する。
【００５１】
電力供給部１０６は、ケーブルＫ２を介して商用交流電源１０に接続し、商用交流電源１０から供給される交流電力に対し、整流や、平滑、電圧変換等の処理を実行して直流電力を生成し、生成した直流電力をプリンター１の各部に供給する。プリンター１は、供給される直流電力に基づいて動作する。また、電力供給部１０６は、制御部１００の制御で、ケーブルＫ１を介して、外部ヒーター９に駆動用の電力を供給する。なお、外部ヒーター９へは、交流電力をそのまま供給してもよいし、整流した後の直流電力を供給してもよい。
【００５２】
前述した通り、プリンター１は、プレヒーター７１、プラテンヒーター７２、及び、アフターヒーター７３によるメディアＭの加熱により乾燥させることで、メディアＭに噴射したインクをメディアＭに定着させる。しかしながら、メディアＭに噴射されたインクは、インクの種類等に起因して、アフターヒーター７３による加熱後でも、完全に乾燥していない場合がある。この場合、インクが完全に乾燥するまで、比較的長い期間（例えば、一日程度）を要することになる。
【００５３】
そこで、ユーザーは、完全にインクが乾燥するまでの期間を短縮するため、図１に示すように外部ヒーター９をプリンター１のアフターヒーター７３側に設置し、外部ヒーター９を併用してメディアＭを加熱する場合がある。この場合、外部ヒーター９による過度の加熱により印刷品質が低下することを防止するため、適切に外部ヒーター９の出力や設置位置等を調整することが求められる。しかしながら、従来の外部ヒーター９の調整は、ユーザーの勘や経験等に頼ることが多く、容易に行えない場合があった。
【００５４】
また、プリンター１は、安全性の確保や温度上昇による影響の防止等のため、動作を停止すべき温度（以下、「異常温度」と表現する）が設定され、アフターヒーター７３の温度が異常温度（所定の閾値）を上回った場合に、動作を停止する構成とされる場合がある。しかしながら、図１に示すようにユーザーが外部ヒーター９を併用してメディアＭを加熱する場合、アフターヒーター７３の温度は、異常温度を上回る蓋然性が高い。そのため、ユーザーが外部ヒーター９を併用する際には、アフターヒーター７３の温度が異常温度を上回ることによってプリンター１が動作を停止する可能性がある。このことは、外部ヒーター９を併用する際の、ユーザーの利便性の低下につながる。
【００５５】
そこで、本実施形態のプリンター１は、以下に示す動作を実行する。
【００５６】
図４は、本実施形態のプリンター１の動作を示すフローチャートである。
【００５７】
図４の説明において、プリンター１は、印刷の動作を実行しておらず、少なくともアフターヒーター７３による加熱を実行してないものとする。
【００５８】
プリンター１の制御部１００は、キャリブレーションモード（第１モード）を開始するか否かを判別する（ステップＳＡ１）。キャリブレーションモードとは、外部ヒーター９が発する熱の温度に基づいて、外部ヒーター９の調整に関する処理を実行するプリンター１の動作モードである。本実施形態では、外部ヒーター９の調整に関する処理とは、後述により明らかになる通り、少なくとも、外部ヒーター９の出力の調整、及び、外部ヒーター９の設置位置の調整のいずれかを指示する処理を示す。
【００５９】
例えば、制御部１００は、入力部１０３が備える入力手段に対しキャリブレーションモードの開始を指示する操作を検出した場合に、キャリブレーションモードを開始すると判別する（ステップＳＡ１：ＹＥＳ）。
【００６０】
制御部１００は、キャリブレーションモードを開始すると判別すると（ステップＳＡ１：ＹＥＳ）、プリンター１の動作モードをキャリブレーションモードに移行させる（ステップＳＡ２）。
【００６１】
次いで、制御部１００は、プリンター１の動作モードをキャリブレーションモードに移行させると、外部ヒーター９をオンにすることを指示する情報を表示部１０４により表示する（ステップＳＡ３）。ここで、外部ヒーター９をオンにするとは、外部ヒーター９の電源をオンにすることを示すのではなく、外部ヒーター９による熱の発生をオンにすることを示す。
【００６２】
このように、制御部１００は、プリンター１の動作モードがキャリブレーションモードである場合において、外部ヒーター９をオンにすることを指示する情報を表示部１０４により表示する。そのため、制御部１００は、ユーザーが外部ヒーター９をオンにしないままキャリブレーションモードを実行するといった事態の発生を抑制できる。
【００６３】
なお、制御部１００は、ステップＳＡ３における表示について、キャリブレーションモードが終了するまで実行する構成としてもよく、キャリブレーションモードを開始してから所定期間実行する構成としてもよい。
【００６４】
次いで、制御部１００は、記憶部１０１が記憶する温度変化データベース１０１ａから、温度変化適正データと温度変化不適正データとを読み出す（ステップＳＡ４）。温度変化データベース１０１ａは、温度変化適正データと温度変化不適正データとを格納するデータベースである。
【００６５】
図５は、温度変化適正データと温度変化不適正データとの一例を示す図表である。図５において、縦軸は、温度を示す。また、図５において、横軸は、時間を示す。
【００６６】
図５に示すように、温度変化適正データＴＤ１は、温度変化不適正データＦＴＤ１と比較して、時間経過に伴う温度上昇が緩やかであり、目標温度に漸近する温度変化を示すデータである。この温度変化適正データＴＤ１は、メディアＭを搬送することを想定した温度変化を示している。一般に、メディアＭの搬送されることにより、外部ヒーター９が発する熱によって加熱されたメディアＭの部位が、温度センサー１０２の検出範囲外に移動していくことに起因して、温度センサー１０２が検出する温度は、ある温度において温度上昇が頭打ちになることが知られている。そのため、この温度変化適正データＴＤ１は、温度上昇が頭打ちになる温度を目標温度して、この目標温度に漸近する温度変化を示す。
【００６７】
ここで、目標温度とは、外部ヒーター９が発する熱の温度に対し、プリンター１の製造元の主体が推奨する温度であり、外部ヒーター９を併用した場合でも印刷品質が低下しない温度である。この目標温度は、予め行われたテストやシミュレーション等によって算出される。なお、目標温度は、後述する設定温度、及び、異常温度とは異なる温度であり、あくまでも、印刷の動作を実行していないキャリブレーションモードにおいて外部ヒーター９が発する熱の温度に対し、基準として設けられる温度である。
【００６８】
このように、温度変化適正データＴＤ１は、目標温度に漸近する温度変化を示すデータである。そのため、本実施形態において、外部ヒーター９の発する熱の温度変化が温度変化適正データＴＤ１に近似することは、外部ヒーター９の発する熱の温度変化が、外部ヒーター９を併用した場合でも印刷品質を低下させない適切な温度変化であることを示す。
【００６９】
図５に示すように、温度変化不適正データＦＴＤ１は、温度変化適正データＴＤ１と比較して、時間経過に伴う温度上昇が急であり、漸近することなく目標温度を上回る温度変化を示すデータである。この温度変化不適正データＦＴＤ１は、温度変化適正データＴＤ１と同様、メディアＭを搬送することを想定した温度変化を示している。つまり、この温度変化不適正データＦＴＤ１は、メディアＭの搬送により熱が奪われることが考慮されたデータである。しかしながら、この温度変化不適切データＦＴＤ１は、目標温度に漸近せず熱が上昇する温度変化を示す。これは、外部ヒーター９が発する熱の温度が高いため、メディアＭの搬送により熱が奪われるにも係らず、上昇していくことを示している。
【００７０】
このように、温度変化不適正データＦＴＤ１は、時間経過に伴う温度上昇が急であり目標温度を上回る、温度変化を示すデータである。そのため、本実施形態において、外部ヒーター９の発する熱の温度変化が温度変化不適正データＴＤ１に近似することは、外部ヒーター９の発する熱の温度変化が、外部ヒーター９を併用した場合に印刷品質を低下してしまう蓋然性を有する温度変化であることを示す。
【００７１】
なお、温度変化適正データＴＤ１と温度変化不適正データＦＴＤ１とは、予め行われたテストやシミュレーション等によって得られたデータである。
【００７２】
図４に示すフローチャートの説明に戻り、制御部１００は、温度変化データベース１０１ａから温度変化適正データＴＤ１と温度変化不適正データＦＴＤ１とを読み出すと、温度センサー１０２が検出する温度に基づいて、外部ヒーター９が発する熱の温度の監視を開始する（ステップＳＡ５）。前述した通り、温度センサー１０２は、アフターヒーター７３の温度を検出する温度センサーである。つまり、温度センサー１０２は、アフターヒーター７３の温度を検出することで、間接的に、外部ヒーター９が発する熱の温度を検出する。
制御部１００は、外部ヒーター９が発する熱の温度を所定期間（例えば、１分間）監視する。
【００７３】
次いで、制御部１００は、外部ヒーター９が発する熱の温度の監視を開始してから、所定期間経過したか否かを判別する（ステップＳＡ６）。例えば、制御部１００は、図示せぬタイマーにより期間をカウントし、カウントした期間が所定期間を上回った場合、外部ヒーター９が発する熱の温度の監視を開始してから、所定期間経過したと判別する。一方、制御部１００は、図示せぬタイマーによりカウントした期間が所定期間を下回る場合、外部ヒーター９が発する熱の温度の監視を開始してから、所定期間経過してないと判別する。
【００７４】
制御部１００は、外部ヒーター９が発する熱の温度の監視を開始してから、所定期間経過していないと判別した場合（ステップＳＡ６：ＮＯ）、処理をステップＳＡ５に戻し、外部ヒーター９が発する熱の温度の監視を継続する。
【００７５】
一方、制御部１００は、外部ヒーター９が発する熱の温度の監視を開始してから、所定期間、経過したと判別した場合（ステップＳＡ６：ＹＥＳ）、外部ヒーター９の調整が必要か否かを判別する（ステップＳＡ７）。
【００７６】
制御部１００は、ステップＳＡ７において、所定期間監視した外部ヒーター９が発する熱の温度と、ステップＳＡ４において読み出した温度変化適正データＴＤ１及び温度変化不適正データＦＴＤ１と、に基づいて、外部ヒーター９の調整が必要か否かを判別する。
【００７７】
ここで、ステップＳＡ７における処理について、複数の具体例を用いて詳述する。
【００７８】
＜例１＞
まず、例１について説明する。なお、例１では、所定期間における外部ヒーター９が発する熱の温度変化は、時間の経過に伴い、温度が上昇する変化であるとする。
制御部１００は、監視した外部ヒーター９が発する熱の温度に基づいて、所定期間における外部ヒーター９が発する熱の温度変化を取得する。次いで、制御部１００は、取得した温度変化に基づいて、経過時間に対する温度変化の度合（例えば、傾き）を算出する。そして、制御部１００は、算出した温度変化の度合と、温度変化適正データＴＤ１が示す温度変化の度合と、温度変化不適正データＦＴＤ１が示す温度変化の度合とを比較する。そして、制御部１００は、算出した度合が、温度変化不適正データＦＴＤ１が示す温度変化の度合より、温度変化適正データＴＤ１が示す温度変化の度合に近い場合、外部ヒーター９の調整が必要でないと判別する。一方、制御部１００は、算出した度合が、温度変化適正データＴＤ１が示す温度変化の度合より、温度変化不適正データＦＴＤ１が示す温度変化の度合が近い場合、外部ヒーター９の調整が必要であると判別する。
このように、制御部１００は、外部ヒーター９が発する熱の温度変化が、温度変化適正データＴＤ１が示す温度変化と、温度変化不適正データＦＴＤ１が示す温度変化とのどちらに近いか否かを判別することで、外部ヒーター９が発する熱が、目標温度を上回りそうか否かを判別し、判別に基づいて外部ヒーター９の調整が必要であるか否かを判別する。
【００７９】
＜例２＞
次に、例２について説明する。
制御部１００は、監視した外部ヒーター９が発する熱の温度に基づいて、監視を実行する所定期間内に、目標温度以上を示す温度を検出したか否かを判別する。制御部１００は、所定期間内に目標温度より高い温度を検出した場合、監視した温度に基づいて取得される温度変化が、温度変化適正データＴＤ１が示す温度変化より、温度変化不適正データＦＴＤ１が示す温度変化に近いと判別し、外部ヒーター９の調整が必要であると判別する。一方、制御部１００は、所定期間内に目標温度より高い温度を検出しなかった場合、監視した温度に基づき取得される温度変化が、温度変化不適正データＦＴＤ１が示す温度変化より、温度変化適正データＴＤ１が示す温度変化に近いと判別し、外部ヒーター９の調整が不必要であると判別する。
このように、制御部１００は、外部ヒーター９が発する熱の温度が、目標温度を上回ったか否かを判別することで、外部ヒーター９が発する熱の温度変化が、温度変化不適正データＦＴＤ１が示す温度変化とのどちらに近いか否かを判別し、判別に基づいて外部ヒーター９の調整が必要であるか否かを判別する。
【００８０】
なお、制御部１００は、＜例１＞及び＜例２＞の両方を考慮して、外部ヒーター９の調整が必要であるか否かを判別する構成としてもよい。
【００８１】
図４に示すフローチャートの説明に戻り、制御部１００は、外部ヒーター９の調整が必要であると判別した場合（ステップＳＡ７：ＹＥＳ）、表示部１０３により、少なくとも、外部ヒーター９の出力の調整、及び、外部ヒーター９の設置位置の調整のいずれかの指示を実行する（ステップＳＡ８）。例えば、制御部１００は、「外部ヒーターをプリンターから離してください」を示す情報を表示することにより、外部ヒーター９の設置位置の調整を指示する。また、例えば、制御部１００は、「外部ヒーターの出力を下げてください」を示す情報を表示することにより、外部ヒーター９の出力の調整を指示する。なお、ステップＳＡ８では、制御部１００が、表示部１０４により、少なくとも、外部ヒーター９の出力の調整、及び、外部ヒーター９の設置位置の調整のいずれかの指示を実行するため、表示部１０４は、指示部として機能する。
【００８２】
このように、制御部１００は、外部ヒーター９の調整が必要であると判別した場合、少なくとも、外部ヒーター９の出力の調整、及び、外部ヒーター９の設置位置の調整のいずれかを指示する。そのため、ユーザーは、外部ヒーター９の出力や設置位置等の調整が適切であるか否かを認識でき、勘や経験等に頼ることなく、容易に外部ヒーター９を調整できる。
【００８３】
なお、制御部１００は、外部ヒーター９の調整が必要であると判別した場合（ステップＳＡ７：ＹＥＳ）、表示部１０３により、外部ヒーター９が発する熱の温度が許容範囲内でないことを示す情報を報知してもよい。ここで、許容範囲とは、外部ヒーター９が発する熱の温度が目標温度以下の範囲であることを示す。例えば、制御部１００は、ＬＥＤを所定の態様で点灯させ、外部ヒーター９が発する温度が許容範囲内でないことを示す情報を報知する。これにより、ユーザーは、ＬＥＤの所定の態様の点灯が、外部ヒーター９が発する温度が許容範囲内でないことを示す報知であると認識可能である場合、表示部１０４が報知を実行することで、外部ヒーター９が発する温度が許容範囲内でないこと認識できる。したがって、ユーザーは、外部ヒーター９の調整が適切であるか否かを報知により認識でき、勘や経験等に頼ることなく、容易に外部ヒーター９を調整できる。この報知は、外部ヒーター９が発する熱が目標温度を上回りそうな場合でも、実行される構成としてもよい。すなわち、実際には、外部ヒーター９が発する熱の温度が目標温度を上回ってない場合でも、温度変化の度合から目標温度を上回そうであると判別した場合、制御部１００は、この報知を実行する構成としてもよい。これにより、制御部１００は、実際に外部ヒーター９が発する熱の温度が目標温度を上回る前に、ユーザーに対して報知できる。
なお、この場合、制御部１００が、外部ヒーター９が発する熱の温度が許容範囲内でないことを示す情報の報知を実行するため、表示部１０４は、報知部として機能する。
【００８４】
図４に示すフローチャートの説明に戻り、制御部１００は、表示部１０３により、少なくとも、外部ヒーター９の出力の調整、及び、外部ヒーター９の設置位置の調整のいずれかの指示を実行すると、再度、外部ヒーター９の調整を実行するか否かを判別する（ステップＳＡ９）。
【００８５】
例えば、制御部１００は、「再度、外部ヒーターの調整を行いますか」を示す情報を表示し、再度、外部ヒーター９の調整を行うことを指示する操作を検出した場合、再度、外部ヒーター９の調整が実行すると判別する（ステップＳＡ９：ＹＥＳ）。制御部１００は、再度、外部ヒーター９の調整が必要であると判別すると、処理をステップＳＡ５に戻す。
【００８６】
一方、制御部１００は、再度、外部ヒーター９の調整を実行しないと判別した場合（ステップＳＡ９：ＮＯ）、プリンター１の動作モードを外部ヒーターモード（第２モード）に移行させるか否かを判別する（ステップＳＡ１０）。制御部１００は、プリンター１の動作モードを外部ヒーターモードに移行させるか否かを判別する際、ユーザーによる外部ヒーターモードへの移行の有無を示す指示を受け付ける。ここで、外部ヒーターモードとは、アフターヒーター７３の温度が異常温度を上回った場合でも、プリンター１の動作を停止させないプリンター１の動作モードである。
【００８７】
例えば、制御部１００は、「外部ヒーターモードにしますか」を示す情報を表示し、ユーザーによる、外部ヒーターモードへの移行の有無を示す指示を受け付ける。そして、制御部１００は、外部ヒーターモードへの移行の指示を受け付けた場合、プリンター１の動作モードを外部ヒーターモードに移行させると判別する（ステップＳＡ１０：ＹＥＳ）。また、制御部１００は、外部ヒーターモードへの移行させないことを示す指示を受け付けた場合、プリンター１の動作モードを外部ヒーターモードに移行させないと判別する（ステップＳＡ１０：ＮＯ）
【００８８】
制御部１００は、外部ヒーターモードへ移行させると判別した場合、プリンター１の動作モードを外部ヒーターモードに移行させる（ステップＳＡ１１）。
【００８９】
前述した通り、図１に示すようにユーザーが外部ヒーター９を併用してメディアＭを加熱する場合、アフターヒーター７３の温度が異常温度を上回る蓋然性が高く、プリンター１は、外部ヒーターを併用する際にアフターヒーター７３の温度が異常温度を上回ると、プリンター１は、印刷動作を停止する可能性がある。しかしながら、プリンター１の動作モードが外部ヒーターモードである場合、プリンター１は、アフターヒーター７３の温度が異常温度を上回った場合でも動作を停止しない。そのため、ユーザーが外部ヒーター９を併用する際にプリンター１の動作が停止することを防止でき、外部ヒーター９を使用する際に、例えば、純正のメディアよりも耐熱性が高いメディアをユーザーが使用した場合に、純正のメディアよりも高い温度で耐熱性が高いメディアを加熱することができるため、メディアの選択や加熱方法の選択範囲が広がり、ユーザーの利便性が向上する。
【００９０】
一方、制御部１００は、外部ヒーターモードへ移行させないと判別した場合（ステップＳＡ１０：ＮＯ）、プリンター１の動作モードを通常モードに移行させる（ステップＳＡ１２）。通常モードとは、少なくとも、アフターヒーター７３の温度が異常温度を上回った場合、プリンター１の動作を停止させるプリンター１の動作モードである。このように、制御部１００は、ユーザーの操作に基づいて外部ヒーターモードに移行しないと判別した場合、プリンター１の動作モードを通常モードに移行させる。そのため、制御部１００は、アフターヒーター７３の温度が異常温度を上回った場合、動作を停止でき、プリンター１の安全性を確保できる。また、制御部１００は、アフターヒーター７３の温度上昇によるプリンター１への影響を防止等できる。
【００９１】
次に、印刷の動作を伴う場合におけるプリンター１の動作を説明する。
【００９２】
図６は、本実施形態のプリンター１の動作を示すフローチャートである。特に、図６に示すフローチャートは、図４に示すフローチャートと比較して印刷の動作を伴う場合のプリンター１の動作を示す。
【００９３】
図６の説明では、図４の説明と異なり、キャリブレーションモードにおいてアフターヒーター７３が加熱を実行しているものとする。
【００９４】
プリンター１の制御部１００は、印刷の動作を開始するか否かを判別する（ステップＳＢ１）。例えば、制御部１００は、通信部１０５により、図示せぬホストコンピューターから印刷データを受信した場合、印刷の動作を開始すると判別する（ステップＳＢ１：ＹＥＳ）。
【００９５】
次いで、プリンター１の制御部１００は、印刷の動作を開始すると判別した場合（ステップＳＢ１：ＹＥＳ）、印刷データに基づく印刷の動作を開始する（ステップＳＢ２）。
【００９６】
次いで、制御部１００は、キャリブレーションモードを開始するか否かを判別する（ステップＳＢ３）。制御部１００は、キャリブレーションモードを開始しないと判別した場合、処理をステップＳＢ１３に移行させる。ステップＳＢ１３の処理については、後述する。一方、制御部１００は、キャリブレーションモードを開始すると判別すると（ステップＳＢ３：ＹＥＳ）、プリンター１の動作モードをキャリブレーションモードに移行させる（ステップＳＢ４）。
【００９７】
次いで、制御部１００は、プリンター１の動作モードをキャリブレーションモードに移行させると、外部ヒーター９をオンにすることを指示する情報を表示部１０４により表示する（ステップＳＢ５）。これにより、上述した効果と同様の効果を奏する。
【００９８】
次いで、制御部１００は、記憶部１０１が記憶する温度変化データベース１０１ａから温度変化適正データと、温度変化不適正データとを読み出す（ステップＳＡ４）。ここで、制御部１００が温度変化データベース１０１ａから読み出す温度変化適正データと温度変化不適正データとは、図４のフローチャートのステップＳＡ４で読み出したデータと異なる。
【００９９】
図７は、温度変化適正データと温度変化不適正データとの一例を示す図表である。図７において、縦軸は、温度を示す。また、図７において、横軸は、時間を示す。
【０１００】
図７に示すように、温度変化適正データＴＤ２は、温度変化不適正データＦＴＤ２と比較して、時間経過に伴う温度上昇が緩やかであり、設定温度に漸近する温度変化を示すデータである。なお、温度変化適正データＴＤ２は、温度変化適正データＴＤ１と異なるデータあり、アフターヒーター７３の加熱を考慮した温度変化を示すデータである。この温度変化適正データＴＤ１は、メディアＭを搬送することを想定した温度変化を示している。通常、メディアＭの搬送により外部ヒーター９が発する熱及びアフターヒーター７３の熱が奪われることに起因して、温度センサー１０２が検出するアフターヒーター７３の温度は、ある温度において温度上昇が頭打ちになる。そのため、この温度変化適正データＴＤ２は、温度上昇が頭打ちになる温度を設定温度として、この設定温度に漸近する温度変化を示す。
【０１０１】
設定温度とは、アフターヒーター７３の温度に対し、メディアＭを加熱する際に設定される温度であり、プリンター１の製造元の主体が、メディアＭを加熱する際に推奨する温度である。この設定温度は、予め行われたテストやシミュレーション等によって定められる。
【０１０２】
この温度変化適正データＴＤ２は、設定温度に漸近する温度変化を示すデータである。そのため、本実施形態において、外部ヒーター９の発する熱の温度変化を加味したアフターヒーター７３の温度変化が、温度変化適正データＴＤ２に近似することは、外部ヒーター９を併用した場合でも印刷品質を低下させない適切な温度変化であることを示す。
【０１０３】
図７に示すように、温度変化不適正データＦＴＤ２は、温度変化適正データＴＤ２と比較して、時間経過に伴う温度上昇が急であり、時間経過に伴い設定温度を上回り、また、時間経過に伴い異常温度に近づく温度変化を示すデータである。なお、温度変化不適正データＦＴＤ２は、温度変化不適正データＦＴＤ１と異なるデータあり、アフターヒーター７３の加熱を考慮した温度変化を示すデータである。この温度変化不適正データＦＴＤ２は、温度変化適正データＴＤ２と同様、メディアＭを搬送することを想定した温度変化を示している。つまり、この温度変化不適正データＦＴＤ２は、メディアＭの搬送により熱が奪われることが考慮されたデータである。しかしながら、この温度変化不適切データＦＴＤ２は、設定温度に漸近せず熱が上昇する温度変化を示す。これは、外部ヒーター９が発する熱の温度が高いため、メディアＭの搬送により熱が奪われるにも係らず、上昇することを示している。
【０１０４】
このように、温度変化不適正データＦＴＤ２は、時間経過に伴う温度上昇が急であり、設定温度を上回り異常温度に近づく温度変化を示すデータである。そのため、本実施形態において、外部ヒーター９の発する熱の温度変化を加味したアフターヒーター７３の温度変化が、温度変化不適正データＴＤに近似することは、温度センサー１０２により検出した温度に基づく温度変化が、外部ヒーター９を併用した場合に印刷品質を低下させてしまう蓋然性を有する温度変化であることを示す。
【０１０５】
図６に示すフローチャートの説明に戻り、制御部１００は、温度変化データベース１０１ａから温度変化適正データＴＤ２と温度変化不適正データＦＴＤ２とを読み出すと、温度センサー１０２によりアフターヒーター７３の温度の監視を開始する（ステップＳＢ７）。制御部１００は、アフターヒーター７３の温度を所定期間（例えば、１分間）監視する。前述した通り、温度センサー１０２は、アフターヒーター７３の温度を検出することで、間接的に、外部ヒーター９が発する熱の温度を検出する。つまり、外部ヒーター９が熱を発する場合において、温度センサー１０２がアフターヒーター７３の温度を検出することは、温度センサー１０２が外部ヒーター９の温度を検出することに相当する。
【０１０６】
次いで、制御部１００は、アフターヒーター７３の温度の監視を開始してから、所定期間経過したか否かを判別する（ステップＳＢ８）。制御部１００は、アフターヒーター７３の温度の監視を開始してから、所定期間経過していないと判別した場合（ステップＳＢ８：ＮＯ）、処理をステップＳＡ５に戻し、アフターヒーター７３の温度の監視を継続する。
【０１０７】
一方、制御部１００は、アフターヒーター７３の温度の監視を開始してから、所定期間、経過したと判別した場合（ステップＳＢ８：ＹＥＳ）、外部ヒーター９の調整が必要か否かを判別する（ステップＳＢ９）。
【０１０８】
制御部１００は、ステップＳＢ９において、所定期間監視したアフターヒーター７３の温度と、ステップＳＢ６において読み出した温度変化適正データＴＤ２及び温度変化不適正データＦＴＤ２と、に基づいて、外部ヒーター９の調整が必要か否かを判別する。
【０１０９】
図６に示すフローチャートの説明に戻り、制御部１００は、外部ヒーター９の調整が必要であると判別した場合（ステップＳＢ９：ＹＥＳ）、表示部１０３により、少なくとも、外部ヒーター９の出力の調整、及び、外部ヒーター９の設置位置の調整のいずれかの指示を実行する（ステップＳＢ１０）。この場合でも、上述した効果と同様の効果を奏する。
【０１１０】
なお、上述した動作と同様、制御部１００は、外部ヒーター９の調整が必要であると判別した場合（ステップＳＢ９：ＹＥＳ）、表示部１０３により、外部ヒーター９が発する熱の温度が許容範囲内でないことを示す情報を報知してもよい。この場合でも、上述した効果と同様の効果を奏する。
【０１１１】
制御部１００は、表示部１０３により、少なくとも、外部ヒーター９の出力の調整、及び、外部ヒーター９の設置位置の調整のいずれかの指示を実行すると、再度、外部ヒーター９の調整を実行するか否かを判別する（ステップＳＢ１１）。
【０１１２】
制御部１００は、再度、外部ヒーター９の調整が実行すると判別した場合（ステップＳＢ１１：ＹＥＳ）と、処理をステップＳＢ９に戻す。一方、制御部１００は、再度、外部ヒーター９の調整を実行すると判別した場合（ステップＳＢ１１：ＮＯ）、キャリブレーションモードを終了し（ステップＳＢ１０）、温度センサー１０２によるアフターヒーター７３の温度を監視する（ステップＳＢ１３）。
【０１１３】
次いで、制御部１００は、監視したアフターヒーター７３の温度に基づいて、アフターヒーター７３の温度が設定温度を上回ったか否かを判別する（ステップＳＢ１４）。
【０１１４】
制御部１００は、アフターヒーター７３の温度が設定温度を上回っていないと判別した場合（ステップＳＢ１４：ＮＯ）、ステップＳＢ１４の処理を継続する。一方、制御部１００は、アフターヒーター７３の温度が設定温度を上回ったと判別した場合（ステップＳＢ１４：ＹＥＳ）、アフターヒーター７３の加熱を停止する（ステップＳＢ１５）。また、制御部１００は、表示部１０４により、アフターヒーター７３の温度が上回ったことを示す情報を報知する。
【０１１５】
次いで、制御部１００は、アフターヒーター７３の加熱を停止させると、温度センサー１０２が検出するアフターヒーター７３の温度に基づいて、アフターヒーター７３の温度が設定温度を下回ったか否かを判別する（ステップＳＢ１６）。
【０１１６】
制御部１００は、アフターヒーター７３の温度が設定温度を下回ったと判別した場合（ステップＳＢ１６：ＹＥＳ）、アフターヒーター７３の加熱を再開し（ステップＳＢ１７）、処理をステップＳＢ１４に移行させる。すなわち、制御部１００は、アフターヒーター７３の温度が設定温度となるように、アフターヒーター７３の加熱について、停止と再開とを繰り返す。また、制御部１００は、表示部１０４により、アフターヒーター７３の温度が上回ったことを示す情報の報知を停止する。
【０１１７】
一方、制御部１００は、アフターヒーター７３の温度が設定温度を下回っていないと判別した場合（ステップＳＢ１６：ＮＯ）、温度センサー１０２が検出するアフターヒーター７３の温度に基づいて、アフターヒーター７３の温度が異常温度を上回りそうか否かを判別する（ステップＳＢ１８）。
【０１１８】
例えば、制御部１００は、監視したアフターヒーター７３の温度に基づいて、アフターヒーターの温度変化を取得する。そして、制御部１００は、記憶部１０１が記憶する温度変化データベース１０１ａから温度変化適正データＴＤ２と温度変化不適正データＦＴＤ２とを参照して、取得した温度変化の度合を考慮して、アフターヒーター７３の温度変化が、温度変化適正データＴＤ１と温度変化不適正データＦＴＤ２とのうちどちらの温度変化に近いかを判別する。そして、制御部１００は、アフターヒーター７３の温度変化が温度変化適正データＴＤ２に近い場合、アフターヒーター７３の温度が異常を示す温度を上回りそうにないと判別する。一方、制御部１００は、アフターヒーター７３の温度変化が温度変化不適正データＦＴＤ２に近い場合、アフターヒーター７３の温度が異常を示す温度を上回りそうであると判別する。
【０１１９】
制御部１００は、監視したアフターヒーター７３の温度が異常温度を上回りそうにないと判別した場合（ステップＳＢ１８：ＮＯ）、処理をステップＳＢ１６に戻す。一方、制御部１００は、監視したアフターヒーター７３の温度が異常温度を上回りそうであると判別した場合（ステップＳＢ１８：ＹＥＳ）、プリンター１の動作モードを外部ヒーターモードに移行させるか否かを判別する（ステップＳＢ１９）。
【０１２０】
制御部１００は、外部ヒーターモードへ移行させると判別した場合（ステップＳＢ１９：ＹＥＳ）、プリンター１の動作モードを外部ヒーターモードに移行させる（ステップＳＡ２０）。
【０１２１】
このように、プリンター１の動作モードを外部ヒーターモードに移行させるため、印刷の動作を実行する場合において、ユーザーが外部ヒーター９を併用する際にプリンター１の動作が停止することを防止でき、外部ヒーター９を使用する際におけるユーザーの利便性が向上する。
【０１２２】
一方、制御部１００は、外部ヒーターモードへ移行させないと判別した場合（ステップＳＢ１９：ＮＯ）、プリンター１の動作モードを通常モードに移行させる（ステップＳＢ２１）。このように、制御部１００は、ユーザーの操作に基づいて外部ヒーターモードに移行しないと判別した場合、プリンター１の動作モードを通常モードに移行させるため、アフターヒーター７３の温度が異常温度を上回った場合、動作を停止でき、プリンター１の安全性を確保できる。
【０１２３】
なお、制御部１００は、アフターヒーター７３の温度が異常温度を上回りプリンター１の動作を停止する際、電力供給部１０６により外部ヒーター９への電力の供給を制御する構成としてもよい。例えば、制御部１００は、アフターヒーター７３の温度が異常温度を上回りプリンター１の動作を停止する際、外部ヒーター９への電力の供給を停止する。プリンター１の動作を停止すると、メディアＭの搬送も停止するため、外部ヒーター９は、プリンター１が動作を開始するまで、支持面６３ａ上にて停止するメディアＭを加熱し続けることになる。ここで、制御部１００は、アフターヒーター７３の温度が異常温度を上回りプリンター１の動作を停止する際、電力供給部１０６により外部ヒーター９への電力の供給を停止する。そのため、外部ヒーター９は、プリンター１が動作を開始するまで、支持面６３ａ上にて停止するメディアＭを加熱し続けることがなく、印刷品質の低下を防止できる。
また、電力供給部１０６による外部ヒーター９への電力の供給の制御は、アフターヒーター７３の温度が異常温度を上回りプリンター１の動作を停止する場合に限定されない。例えば、制御部１００は、アフターヒーター７３の温度が設定温度を上回った場合に、アフターヒーター７３による加熱を停止するとともに、外部ヒーター９への電力の供給を制御してもよい。これにより、制御部１００は、外部ヒーター９による過度の加熱を防止することができる。
【０１２４】
以上、説明したように、プリンター１は、メディアＭ（媒体）に印刷を実行する印刷装置である。プリンター１は、温度を検出する温度センサー１０２と、プリンター１の動作モードがキャリブレーションモード（第１モード）である場合、外部ヒーター９が発する熱の温度を、温度センサー１０２で検出し、検出した温度に基づいて外部ヒーター９の調整に関する処理を実行する制御部１００と、を備える。
【０１２５】
これにより、温度センサー１０２により検出した外部ヒーター９が発する熱の温度に基づいて、外部ヒーター９の調整に関する処理を実行するため、ユーザーが勘や経験等に頼ることなく、容易に外部ヒーター９を調整できる。
【０１２６】
また、プリンター１は、メディアＭを加熱するアフターヒーター７３（ヒーター）を備える。温度センサー１０２は、アフターヒーター７３の温度を検出する温度センサーである。
【０１２７】
このように、外部ヒーター９の発する熱の温度を検出する温度センサー１０２が、プリンター１が備えるアフターヒーター７３の温度を検出する温度センサーである。そのため、外部ヒーター９の発する熱の温度を検出するための温度センサーを新たに設ける必要がない。そのため、印刷システム２００のコストアップを防止できる。また、外部に温度センサーを設ける必要がないため、印刷システム２００の構成を簡易にできる。
【０１２８】
また、プリンター１は、表示部１０２（報知部）を備える。制御部１００は、温度センサーが検出する温度に基づいて、外部ヒーター９が発する熱の温度が許容範囲内であるか否かを示す情報を表示部１０４により報知する。例えば、表示部１０４は、ＬＥＤを所定の態様で点灯させることにより、外部ヒーター９が発する熱の温度が許容範囲内でないことを示す情報を報知する。また、例えば、表示部１０４は、ＬＥＤを所定の態様で消灯させることにより、外部ヒーター９が発する熱の温度が許容範囲内であることを示す情報を報知する。
【０１２９】
これにより、外部ヒーター９が発する熱の温度が許容範囲内であるか否かを示す情報を報知部により報知するため、ユーザーは、外部ヒーター９が発する熱の温度が許容範囲内か否かを認識でき、外部ヒーター９を併用する際の利便性が向上する。
【０１３０】
また、プリンター１は、外部ヒーター９の調整に関する指示を実行する表示部１０４（指示部）を備える。制御部１００は、温度センサー１０２が検出する温度に基づいて、表示部１０４により、少なくとも、外部ヒーター９の設定位置の調整、及び、外部ヒーター９の出力の調整のいずれかの指示を実行する。
【０１３１】
これにより、表示部１０４が、少なくとも、外部ヒーター９の設定位置の調整、及び、外部ヒーター９の出力の調整のいずれかの指示を実行するため、ユーザーは、勘や経験等に頼ることなく、容易に外部ヒーター９を調整できる。
【０１３２】
また、制御部１００は、温度センサー１０２が検出した温度に基づいて、アフターヒーター７３の温度が異常温度（所定の閾値）を上回る場合、プリンター１の動作を停止させる。
【０１３３】
これにより、プリンター１が備えるアフターヒーター７３の温度が異常温度を上回った場合に、プリンター１の動作を停止するため、プリンター１の安全性を確保できる。
【０１３４】
また、制御部１００は、温度センサー１０２が検出する温度に基づいて、プリンター１の動作モードを外部ヒーターモード（第２モード）に移行させる否かの指示を受け付ける。制御部１００は、プリンター１の動作モードを外部ヒーターモードに移行させる指示を受け付けた場合、プリンター１の動作モードを、アフターヒーターの温度が異常温度を上回った場合でも、プリンター１の動作を停止させない外部ヒーターモードに移行させる。
【０１３５】
これにより、外部ヒーターモードに移行させる指示を受け付けた場合、プリンター１が備えるアフターヒーターの温度が異常温度を上回った場合でも、プリンター１の動作を停止させない。そのため、外部ヒーター９を併用した印刷を行った場合でも、プリンター１の動作が停止することを防止でき、外部ヒーター９を併用する際のユーザーの利便性が向上する。
【０１３６】
また、プリンター１は、外部ヒーター９に電力を供給する電力供給部１０６を備える。制御部１００は、温度センサー１０２が検出する温度に基づいて、電力供給部１０６が供給する電力を制御する。
【０１３７】
これにより、温度センサー１０２が検出する温度に基づいて、電力供給部１０６が供給する電力を制御するため、温度センサー１０２が検出する温度に基づく外部ヒーター９の出力を制御できる。したがって、外部ヒーター９による過度の加熱や、外部ヒーター９の加熱によるプリンター１のへの影響を防止できる。
【０１３８】
＜変形例＞
次に、印刷システム２００の変形例について説明する。
図８は、変形例における印刷システム２００の構成を示す図である。
【０１３９】
以下の説明において、図１に示す印刷システム２００と同様の構成については、同一の符号を付し、その詳細な説明を省略する。
【０１４０】
図８に示す印刷システム２００は、図１に示す印刷システム２００と比較して明らかな通り、プリンター１及び外部ヒーター９について、電力の供給に係る接続形態が異なる。
【０１４１】
図８に示すように、プリンター１は、ケーブルＫ４を介しスイッチ回路１１に接続する。また、外部ヒーター９は、ケーブルＫ３を介しスイッチ回路１１に接続する。スイッチ回路１１は、少なくとも、外部ヒーター９への電力の供給をオンオフ可能な回路であって、ケーブルＫ５を介して商用交流電源１０に接続する。
【０１４２】
プリンター１は、ケーブルＫ５、スイッチ回路１１、及び、ケーブルＫ４を介して、商用交流電源１０から電力を受給する。ここで、スイッチ回路１１が、整流や、平滑、電圧変換等を実行する場合、プリンター１は、直流電力を受給する。また、外部ヒーター９は、スイッチ回路１１がオンである場合、ケーブルＫ５、スイッチ回路１１、及び、ケーブルＫ３を介して、商用交流電源１０から電力を受給する。ここで、スイッチ回路１１が、整流や、平滑、電圧変換等を実行する場合は、外部ヒーター９へ、直流電力を受給する。
【０１４３】
プリンター１は、スイッチ回路１１のオンオフを制御可能に構成されることにより、外部ヒーター９への電力の供給を上述した電力供給部１０６と同様な制御を行うことができる。
【０１４４】
なお、上述した実施形態は、あくまでも本発明の一態様を示すものであり、本発明の範囲内で任意に変形及び応用が可能である。
【０１４５】
例えば、上述した実施形態では、プリンター１は、アフターヒーター７３の温度を検出する温度センサーを備え、この温度センサー１０２により外部ヒーターが発する熱の温度を検出する構成を例示した。しかしながら、温度センサー１０２は、プリンター１が備えるものに限定されず、アフターヒーター７３上に張り付けるような着脱可能な温度センサーであってもよく、外部に配置された温度センサーであってもよい。
【０１４６】
例えば、上述した実施形態では、所定期間において検出した外部ヒーター９が発する熱の温度が、目標温度を上回った場合、又は、目標温度を上回りそうである場合、外部ヒーター９が発する熱の温度が許容範囲内でないことを示す情報を報知する構成を例示した。しかしながら、目標温度より低い所定の温度を下回った場合に、表示部１０４が、外部ヒーター９が発する熱の温度が許容範囲内でないことを示す情報を報知する構成としてもよい。つまり、表示部１０４は、外部ヒーター９を併用する際において、外部ヒーターの発する熱の温度が低いことを示す情報を報知する構成としてもよい。これにより、ユーザーは、外部ヒーター９を併用する際、外部ヒーター９の出力が弱すぎるのか強すぎるのか、また、外部ヒーター９の設置位置がプリンター１に対して遠すぎるのか近すぎるのかを認識できる蓋然性が高まり、外部ヒーター９の調整において、さらに利便性が向上する。
【０１４７】
また、上述した実施形態では、制御部１００は、温度変化データベース１０１ａから、温度変化適正データＴＤ１と温度変化不適正データＦＴＤ１とを読み出す、又は、温度変化適正データＴＤ２と温度変化不適正データＦＴＤ２とを読み出す構成を例示した。しかしながら、制御部１００が読み出す温度変化適正データと温度変化不適正データとの数は、それぞれ１に限定されず、複数読み出してもよい。この場合、制御部１００は、複数読み出した温度変化適正データと温度不適正データとに基づいて、外部ヒーター９の調整の必要の有無を判別する。
【０１４８】
また、例えば、上述したプリンター１の制御方法（印刷装置の制御方法）が、プリンター１が備えるコンピューターを用いて実現される場合、本発明を、上記制御方法を実現するためにコンピューターが実行するプログラム、このプログラムを前記コンピューターで読み取り可能に記録した記録媒体、或いは、このプログラムを伝送する伝送媒体の態様で構成することも可能である。上記記録媒体としては、磁気的、光学的記録媒体又は半導体メモリーデバイスを用いることができる。具体的には、フレキシブルディスク、ＨＤＤ（Hard Disk Drive）、ＣＤ−ＲＯＭ（Compact Disk Read Only Memory）、ＤＶＤ（Digital Versatile Disk）、Ｂｌｕ−ｒａｙ（登録商標）  Ｄｉｓｃ、光磁気ディスク、フラッシュメモリー、カード型記録媒体等の可搬型の、或いは固定式の記録媒体が挙げられる。また、上記記録媒体は、プリンター１が備える内部記憶装置であるＲＯＭ（Read Only Memory）、ＨＤＤ等の不揮発性記憶装置であってもよい。
【０１４９】
また、例えば、図４、及び、図６の処理単位は、プリンター１の処理を理解容易にするために、主な処理内容に応じて分割したものであり、処理単位の分割の仕方や名称によって、本発明が限定されることはない。プリンター１の処理は、処理内容に応じて、されに多くの処理単位に分割してもよい。また、１つの処理単位がさらに多くの処理を含むように分割してもよい。
【０１５０】
また、図３に示した各機能部は機能的構成を示すものであって、具体的な実装形態は特に限定されない。つまり、必ずしも各機能部に個別に対応するハードウェアが実装される必要はなく、一つのプロセッサーがプログラムを実行することで複数の機能部の機能を実現する構成とすることも勿論可能である。また、上述した実施形態においてソフトウェアで実現される機能の一部をハードウェアとしてもよく、或いは、ハードウェアで実現される機能の一部をソフトウェアで実現してもよい。その他、プリンター１の他の各部の具体的な細部構成についても、本発明の趣旨を逸脱しない範囲で任意に変更可能である。
【符号の説明】
【０１５１】
１…プリンター（印刷装置）、４…搬送部、５…印刷部、７…加熱部、９…外部ヒーター、７３…アフターヒーター（ヒーター）、１００…制御部、１０１…記憶部、１０１ａ…温度変化データベース、１０２…温度センサー、１０３…入力部、１０５…通信部、１０６…電力供給部、Ｍ…メディア（媒体）。
【図１】
2018089926.tif 000003
【図２】
2018089926.tif 000004
【図３】
2018089926.tif 000005
【図４】
2018089926.tif 000006
【図５】
2018089926.tif 000007
【図６】
2018089926.tif 000008
【図７】
2018089926.tif 000009
【図８】
2018089926.tif 000010